【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
組織部位へ流体を点滴注入するための治療装置において、
カートリッジレセプタクルを有するベースと；
前記ベースをポールへ固定するように前記ベースに結合された支持体と；
前記カートリッジレセプタクルに位置決めされるときに、前記ベースと係合するように構成されたカートリッジと；
流体を移動させるために、前記カートリッジレセプタクル内に配置され、かつ前記カートリッジと係合するように構成されたポンプヘッドと
を含むことを特徴とする、治療装置。
【請求項２】
請求項１に記載の治療装置において、前記カートリッジが、さらに：
液溜めの少なくとも一部分を形成する本体と；
前記本体に結合されかつ前記液溜めと流体連通するチューブセグメントであって、前記ポンプヘッドと係合するように構成されたチューブセグメントと
を含むことを特徴とする、治療装置。
【請求項３】
請求項２に記載の治療装置において、さらに、前記液溜めに流体的に結合されかつ流体を受け入れるように構成された充填ポートを含むことを特徴とする、治療装置。
【請求項４】
請求項２に記載の治療装置において、さらに、前記液溜めに流体的に結合されかつ流体を受け入れるように構成された充填ポートと；
前記充填ポートに結合されたヒートシールと
を含むことを特徴とする、治療装置。
【請求項５】
請求項２乃至５の何れか１項に記載の治療装置において、さらに：
前記チューブセグメントの端部と前記液溜めとの間で前記チューブセグメントに流体的に結合されたロードセルセグメントと；
前記カートリッジが前記カートリッジレセプタクルに配置される場合に、前記ベースに結合されかつ前記ロードセルセグメントに通信可能に結合するように構成されたセンサーと
を含むことを特徴とする、治療装置。
【請求項６】
請求項２乃至６の何れか１項に記載の治療装置において、さらに：
前記チューブセグメントの端部と前記組織部位との間で前記チューブセグメントに流体的に結合された超音波検査セグメントと；
前記カートリッジが前記カートリッジレセプタクルに配置される場合に、前記ベースに結合されかつ前記超音波検査セグメントに通信可能に結合するように構成されたセンサーと
を含むことを特徴とする、治療装置。
【請求項７】
請求項２乃至７の何れか１項に記載の治療装置において、前記本体が、前記液溜めの少なくとも一部分を形成するように構成された蓋を含むことを特徴とする、治療装置。
【請求項８】
請求項２乃至７の何れか１項に記載の治療装置において、前記本体が、前記液溜めの少なくとも一部分を形成するように構成された蓋を含み、および前記蓋が、前記チューブセグメントの少なくとも一部分および前記ポンプヘッドを受け入れるように構成された凹部を有することを特徴とする、治療装置。
【請求項９】
請求項２乃至９の何れか１項に記載の治療装置において、前記本体が、丸みを帯びた端部と、前記丸みを帯びた端部に対向する扁平端部とを備える卵形を有することを特徴とする、治療装置。
【請求項１０】
請求項２乃至９の何れか１項に記載の治療装置において、前記本体が、丸みを帯びた端部と、前記丸みを帯びた端部に対向する扁平端部とを備える卵形を有し、前記本体が、前記扁平端部に近接して少なくとも１つの切り欠き部を有することを特徴とする、治療装置。
【請求項１１】
請求項２乃至１１の何れか１項に記載の治療装置において、前記本体がレースウェイを含み、および前記チューブセグメントが、前記レースウェイを横切って吊るされるチューブを含むことを特徴とする、治療装置。
【請求項１２】
請求項２乃至１１の何れか１項に記載の治療装置において、前記本体が半円形レースウェイを含み、および前記チューブセグメントが、前記レースウェイを横切って吊るされるチューブを含むことを特徴とする、治療装置。
【請求項１３】
請求項１に記載の治療装置において、前記カートリッジがさらに：
ベースハウジングおよびチューブハウジングを有するキャリアと；
前記チューブハウジングに配置されたチューブセグメントと；
前記ベースハウジングと係合して前記流体容器を前記チューブセグメントに流体的に結合するように構成されたポートを有する流体容器と
を含むことを特徴とする、治療装置。
【請求項１４】
請求項１２に記載の治療装置において、前記ベースハウジングがさらに：
レセプタクルが上面に配置された矩形体と；
前記レセプタクルに配置された通気用スパイクと
を含むことを特徴とする、治療装置。
【請求項１５】
請求項１４に記載の治療装置において、前記通気用スパイクが、前記チューブセグメントに流体的に結合されることを特徴とする、治療装置。
【請求項１６】
請求項１４に記載の治療装置において、
前記通気用スパイクが、周囲大気圧に流体的に結合され；および
前記レセプタクルが、前記チューブセグメントと流体連通する流体通路を含むことを特徴とする、治療装置。
【請求項１７】
請求項１に記載の治療装置において、さらに、前記ベースに結合されかつ前記ポンプヘッドにその動作のために動作可能に結合された対話型パネルを含むことを特徴とする、治療装置。
【請求項１８】
点滴注入治療装置用の溶液カートリッジにおいて、
液溜めの少なくとも一部分を形成する本体と；
前記液溜めに流体的に結合されかつ流体を受け入れるように構成された充填ポートと；
前記充填ポートに結合されたヒートシールと；
前記本体に結合されかつ前記液溜めと流体連通するチューブセグメントであって、前記液溜めから流体を移動させるために、治療装置のポンプヘッドと係合するように構成されたチューブセグメントと
を含むことを特徴とする、溶液カートリッジ。
【請求項１９】
請求項１８に記載の溶液カートリッジにおいて、さらに、前記チューブセグメントと前記液溜めとの間で前記チューブセグメントに流体的に結合されたロードセルセグメントを含むことを特徴とする、溶液カートリッジ。
【請求項２０】
請求項１８または１９に記載の溶液カートリッジにおいて、さらに、前記チューブセグメントと組織部位との間で前記チューブセグメントに流体的に結合された超音波検査セグメントを含むことを特徴とする、溶液カートリッジ。
【請求項２１】
請求項１８乃至２０の何れか１項に記載の溶液カートリッジにおいて、前記本体が、液溜めの少なくとも一部分を形成するように構成された蓋を含むことを特徴とする、溶液カートリッジ。
【請求項２２】
請求項１８乃至２０の何れか１項に記載の溶液カートリッジにおいて、前記本体が、液溜めの少なくとも一部分を形成するように構成された蓋を含み、および前記蓋が、前記チューブセグメントの少なくとも一部分および前記治療装置のポンプヘッドを受け入れるように構成された凹部を有することを特徴とする、溶液カートリッジ。
【請求項２３】
点滴注入治療装置用の溶液カートリッジにおいて、
液溜めの少なくとも一部分を形成する本体であって、丸みを帯びた端部と、前記丸みを帯びた端部に対向する扁平端部とを備える卵形を有する、本体と；
前記液溜めに流体的に結合されかつ流体を受け入れるように構成された充填ポートと；
前記充填ポートに結合されたキャップと；
前記本体に結合されかつ前記液溜めと流体連通するチューブセグメントであって、前記液溜めから流体を移動させるために、治療装置のポンプヘッドに係合するように構成されたチューブセグメントと
を含むことを特徴とする、溶液カートリッジ。
【請求項２４】
請求項２３に記載の溶液カートリッジにおいて、前記本体が、前記扁平に近接して少なくとも１つの切り欠き部を有することを特徴とする、溶液カートリッジ。
【請求項２５】
請求項２３または２４に記載の溶液カートリッジにおいて、前記本体がレースウェイを含み、および前記チューブセグメントが、前記レースウェイを横切って吊るされたチューブを含むことを特徴とする、溶液カートリッジ。
【請求項２６】
請求項２３または２４に記載の溶液カートリッジにおいて、前記本体が半円形レースウェイを含み、および前記チューブセグメントが、前記レースウェイを横切って吊るされたチューブを含むことを特徴とする、溶液カートリッジ。
【請求項２７】
請求項２３乃至２６の何れか１項に記載の溶液カートリッジにおいて、さらに、前記チューブセグメントと前記液溜めとの間で前記チューブセグメントに流体的に結合されたロードセルセグメントを含むことを特徴とする、溶液カートリッジ。
【請求項２８】
請求項２３乃至２７の何れか１項に記載の溶液カートリッジにおいて、さらに、前記チューブセグメントと組織部位との間で前記チューブセグメントに流体的に結合された超音波検査セグメントを含むことを特徴とする、溶液カートリッジ。
【請求項２９】
点滴注入治療装置用の溶液カートリッジにおいて、
ベースハウジングおよびチューブハウジングを有するキャリアと；
前記ベースハウジングに係合するように構成されたポートを有する流体容器と；
前記チューブハウジングに配置されかつ前記キャリアに結合されたチューブセグメントであって、前記流体容器から流体を移動させるために、前記流体容器と流体連通されかつ治療装置のポンプヘッドと係合するように構成されたチューブセグメントと
を含むことを特徴とする、溶液カートリッジ。
【請求項３０】
請求項２９に記載の溶液カートリッジにおいて、前記ベースハウジングがさらに：
レセプタクルが上面に配置されている矩形体と；
前記レセプタクルに配置された通気用スパイクと
を含むことを特徴とする、溶液カートリッジ。
【請求項３１】
請求項３０に記載の溶液カートリッジにおいて、前記通気用スパイクが、前記チューブセグメントに流体的に結合されることを特徴とする、溶液カートリッジ。
【請求項３２】
請求項３０に記載の溶液カートリッジにおいて、
前記通気用スパイクが周囲大気圧に流体的に結合され；および
前記レセプタクルが、前記チューブセグメントと流体連通する流体通路を含むことを特徴とする、溶液カートリッジ。
【請求項３３】
請求項２９乃至３２の何れか１項に記載の溶液カートリッジにおいて、さらに、前記チューブセグメントと前記流体容器との間で前記チューブセグメントに流体的に結合されたロードセルセグメントを含むことを特徴とする、溶液カートリッジ。
【請求項３４】
請求項２９乃至３３の何れか１項に記載の溶液カートリッジにおいて、さらに、前記チューブセグメントと組織部位との間で前記チューブセグメントに流体的に結合された超音波検査セグメントを含むことを特徴とする、溶液カートリッジ。
【請求項３５】
組織部位を治療する治療装置において、
液溜め、レースウェイ、および前記レースウェイを横切って吊るされたチューブを含む溶液カートリッジと；
前記溶液カートリッジを受け入れるように適合されたカートリッジレセプタクルと；
前記カートリッジレセプタクル内に配置された回転排出形ポンプヘッドであって、周縁部、および前記周縁部に結合されたローブを有する回転排出形ポンプヘッドと
を含み、
前記周縁部が、前記レースウェイに前記チューブを押し込むように適合され、かつ前記ローブが、前記レースウェイにおいて前記チューブと循環的に係合するように適合されていることを特徴とする、治療装置。
【請求項３６】
請求項３５に記載の治療装置において、さらに、前記チューブに流体的に結合されたドレッシングを含むことを特徴とする、治療装置。
【請求項３７】
請求項３５に記載の治療装置において、さらに、減圧源およびドレッシングを含み、前記ドレッシングが、前記減圧源および前記チューブに流体的に結合されることを特徴とする、治療装置。
【請求項３８】
請求項３５乃至３７の何れか１項に記載の治療装置において、さらに、前記液溜めに流体的に結合されかつ流体を受け入れるように構成された充填ポートを含むことを特徴とする、治療装置。
【請求項３９】
請求項３５乃至３８の何れか１項に記載の治療装置において、さらに、前記液溜めの底部を前記チューブに流体的に結合するポートを含むことを特徴とする、治療装置。
【請求項４０】
請求項３５乃至３９の何れか１項に記載の治療装置において、前記組織部位に減圧をもたらすように構成されていることを特徴とする、治療装置。